(57)【要約】【課題】人の勘や熟練度に頼らずに、効率よく除染できる除染装置を提供する。【解決手段】台車に搭載した容器であるフードと、フード下面の底板と、フード内に設置した吸引箱と、底板に開口した集塵スリットと、台車に取り付けた車輪と、フードの一部を貫通してフード内へ挿入した単数または複数基のノズルと、フードの移動方向と直交する方向にノズル先端を往復動させる首振り機構とより構成する。首振り機構は車輪の回転とノズル先端の往復動を連動させる。ノズルにはドライアイス粒子を供給できるように構成する。底板に開口した集塵スリットに接近して吸引箱の吸引口を位置させる。吸引箱の他端は装置外の集塵機に接続が可能であるように構成する【選択図】図１
2014066610.tif 000002
【特許請求の範囲】
【請求項１】
台車に搭載した容器であるフードと、
フード下面の底板と、
フード内に設置した吸引箱と、
底板に開口した集塵スリットと、
台車に取り付けた車輪と、
フードの一部を貫通してフード内へ挿入した単数または複数基のノズルと、フードの移動方向と直交する方向にノズル先端を往復動させる首振り機構とより構成し、
首振り機構は車輪の回転とノズル先端の往復動を連動させ、
ノズルにはドライアイス粒子を供給できるように構成し、
底板に開口した集塵スリットに接近して吸引箱の吸引口を位置させ、
吸引箱の他端は装置外の集塵機に接続が可能であるように構成したことを特徴とする
除染装置。
【請求項２】
上記の除染装置において、
車輪に一端を軸支した前後動リンクと、
前後動リンクに一端を軸支した上下動リンクと、
上下動リンクに一端を軸支した左右動リンクと、
左右動リンクの一端を軸支したノズル容器とより構成し、
ノズル容器はフードの移動方向に平行なピンで往復動可能に構成したことを特徴とする、
請求項１記載の除染装置。
【請求項３】
上記の除染装置において、
集塵スリットの両側には、下向きに間隔の狭くなる斜板を取り付けて構成したことを特徴とする、
請求項１記載の除染装置。
【発明の詳細な説明】
【技術分野】
【０００１】
本発明は除染装置に関するものであり、特にドライアイス粒子を用いてアスファルト舗装面やコンクリート舗装面の汚染を除去する装置に関するものである。
【背景技術】
【０００２】
ドライアイス粒子を用いてアスファルト表面から汚染物を剥離して除染する技術は、特許文献１に示すようにすでに知られている。
【先行技術文献】
【特許文献】
【０００３】
【特許文献１】特開２００３−３０００３０号公報
【発明の概要】
【発明が解決しようとする課題】
【０００４】
ドライアイス粒子を使用して放射能で汚染されたアスファルト舗装面を除染する方法は文献だけでなく現場でも採用されているが、実際の方法では次のような問題点がある。
＜１＞  まず除染の対象となる汚染物とは、セシウム等の放射性物質が付着した土砂の微粒子であって、主に舗装面の凹部に付着しているものである。
＜２＞  ドライアイス粒子を、汚染された舗装面に吹き付けると、ドライアイスが気化し、その際のエネルギーで汚染物を持ち上げて剥ぎ取る、という作用を行うので、理論的には優れた除染装置である。
＜３＞  しかし実際には特許文献１に示すように、底面を開放した空き箱状のケースを舗装面にかぶせ、その天井部に切り開いたスリットにノズルを差し込んでドライアイス粒子を吹き付けるという程度の装置しか開発されていない。
＜４＞  このような装置では、作業員の技量によって除染効果に大きなばらつきが生じる。
＜５＞  またケースの一部に透明窓を設けてあっても、ドライアイス粒子が飛散している状態だからその内部の状態が見えず、除染の進行状態は作業員の勘と経験に頼らざるを得ない。
＜６＞  そのために丁寧な作業員は確実に除染することはできるが、勘に頼っているのだから必要以上の時間を要する場合もあり、雑な作業員の場合には施工速度は速いがやり直しが生じるという場合もある。
＜７＞  また上記の装置では施工しながら移動するということが困難であり、空き箱状のケースからの漏気も多い。
＜８＞  さらに上記の点が改善されたとしても、フード内で舞い上がる塵を十分に集塵しきれないと、それが再度路面に落下して付着してしまい除染率が向上しないという問題もある。
【課題を解決するための手段】
【０００５】
上記のような課題を解決する本発明の除染装置は、台車に搭載した容器であるフードと、フード下面の底板と、フード内に設置した吸引箱と、底板に開口した集塵スリットと、台車に取り付けた車輪と、フードの一部を貫通してフード内へ挿入した単数または複数基のノズルと、フードの移動方向と直交する方向にノズル先端を往復動させる首振り機構とより構成し、首振り機構は車輪の回転とノズル先端の往復動を連動させ、ノズルにはドライアイス粒子を供給できるように構成し、底板に開口した集塵スリットに接近して吸引箱の吸引口を位置させ、吸引箱の他端は装置外の集塵機に接続が可能であるように構成したことを特徴とするものである。
また上記の除染装置は、車輪に一端を軸支した前後動リンクと、前後動リンクに一端を軸支した上下動リンクと、上下動リンクに一端を軸支した左右動リンクと、左右動リンクの一端を軸支したノズル容器とより構成し、ノズル容器はフードの移動方向に平行なピンで往復動可能に構成したことを特徴とするものである。
また上記の除染装置は、集塵スリットの両側には、下向きに間隔の狭くなる斜板を取り付けて構成したことを特徴とするものである。
【発明の効果】
【０００６】
本発明の除染装置は以上説明したようになるから次のような効果の少なくとも一つを得ることができる。
＜１＞除染装置の移動速度とノズルの往復動の速度を連動させることができるので、作業員個人の技量差が影響することがない。
＜２＞汚染の状況は現場によって大きく異なるが、試験範囲を定めてそこで除染装置の移動速度とノズルの往復速度との最適量を確認しておけば、最適の除染効果を達成することができる。
＜３＞ドライアイスの噴射時のエネルギーにより舞い上がる粉塵をほぼ完全に集塵することができるから、再付着を阻止して効率よく吸引して集塵機へ搬送することができる。
＜４＞その結果、高い除染効果を確保することができる。
【図面の簡単な説明】
【０００７】
【図１】本発明の除染装置の実施例の説明図。
【図２】その平面による説明図。
【図３】ノズルケースの説明図。
【図４】首振り機構の説明図。
【図５】吸引箱の斜視図。
【図６】斜板の他の実施例の説明図。
【図７】底板の他の実施例の説明図。
【発明を実施するための形態】
【０００８】
以下図面を参照にしながら本発明の除染装置の好適な実施の形態を詳細に説明する。
【実施例】
【０００９】
＜１＞全体の構成（図１）
本発明の除染装置は、台車２に搭載したフード１と、フード１の下の底板６と、台車２を移動させる車輪２１と、フード１の一部を貫通してフード１内へ挿入したノズル３と、粉じんを吸引する吸引箱４と、フード１の移動方向と直交する方向にノズル３先端を往復動させる首振り機構５とより構成する。
台車２の前後の両側にハンドル７を設け、このハンドル７に制御盤６１を取り付ける。
制御盤６１は取り外し自在として、信号線を長くしておくと、いずれのハンドル７にも取り付けることができる。
【００１０】
＜２＞フード
フード１は、六面体の箱の底を抜いたような形状であり、下には底板６を配置する。
フード１の全部あるいは一部を透明材で構成すれば、作業員がフード１の内部の除染状態を把握できる。
このフード１の内部で、ドライアイス粒子の噴射を行い、それによって剥離した汚染物、アスファルト、コンクリートなどの粉塵が舞い上がる。
その粉塵とドライアイスの混合体はフード１の一部に開口した吸引箱４から吸引ホース４１によって吸引して外部で回収する。
フード１の一部にはドライアイス粒子を供給するノズル３を差し込む挿入口３２を開口する。
この挿入口３２に挿入したノズル３は、移動方向に直交する方向に首振り可能である。
なお、本明細書と特許請求範囲の記載では、装置全体の移動方向を前後方向、それと直交する方向を左右方向と表現する。
【００１１】
＜３＞スカート
フード１の底面の周囲には、ドライアイス粒子や粉塵が外部に飛散することを阻止するためにスカート１１を設ける。
このスカート１１は、ブラシやゴム板で構成し、フード１の移動時にはスカート１１の下面が除染対象の面上を滑動する。
移動中にスカート１１がフード１の下に巻き込まれないように、ゴム板とブラシを使い分ける。
外部への飛散を阻止するために二重に設置することも可能である。
【００１２】
＜４＞ノズル
ノズル３はドライアイス粒子を噴射するための装置であり、ドライアイス粒子の製造装置とは噴射ホース３３で連結している。
ノズル３の先端はフード１に開口した挿入口３２を貫通させて、フード１内に挿入してあり、その先端と舗装面との距離は調節が可能である。
ノズル３は直接フード１に取り付けるのではなく、ノズル容器３１に挿入して取り付け、あるいは取り外すことができる。
ノズル３の噴射角度は、除染対象面に対して直角ではなくフード１の前進方向に向けて角度を有しているので、対象面に反射したドライアイス粒子の排気と粉塵をフード１内で方向を与えて流動させ、吸引箱４に導くことができる。
ノズル３を複数本、左右方向に平行に並べた場合には、対象面における各噴射範囲は重ならないように配置する。
ノズル３先端と対象面の距離は１５〜２０ｃｍが適当であるが、その数値に限定するものではない。
【００１３】
＜５＞ノズル容器（図３）
ノズル容器３１はフード１に開設した挿入口３２の上面に設けた、上下方向に貫通した筒体である。
ノズル容器３１はノズル３を着脱可能にセットするための容器であり、その内部に挿入したノズル３を側面からボルトで締めつけてその位置を固定でき、ボルトを緩めれば抜き出すことができる。
ノズル容器３１自体はフード１に固定するのではなく、左右方向への首振りが可能であるように設置する。
そのために、フード１に固定したブラケット１２とピン１３で軸支してノズル容器３１を取り付けるが、このピン１３の方向は、フード１の移動方向と平行方向である。
したがってノズル容器３１はピン１３を軸心として左右方向に首振りが可能となる。
ノズル容器３１は１基、または左右方向に平行に複数基をフード１に設置する。
【００１４】
＜６＞首振り機構（図４）
ノズル３の左右方向の往復動を首振りと称すると、そのための首振り機構５は車輪２１の回転とノズル３先端の往復動を連動させる。
そのためにこの首振り機構５は、車輪２１と一体のギヤなど、車輪２１の一部に一端を軸支した前後動リンク５１と、前後動リンク５１に一端を軸支した上下動リンク５２と、上下動リンク５２に一端を軸支した左右動リンク５３とで構成する。
この左右動リンク５３の一端を、フード１にピン１３で軸支したノズル容器３１に取り付ける。
すると、車輪２１の回転が前後動リンク５１を前後動させ、その前後動は上下動リンク５２を上下動させる。
この上下動リンク５２の上下動は、左右動リンク５３の左右動となり、この左右動がピン１３で軸支したノズル容器３１の左右方向の往復動となる。
するとノズル容器３１に挿入してセットしたノズル３は、フード１の内部で左右動を繰り返すから、ノズル３からのドライアイス粒子は一定範囲でまんべんなく噴射することになる。
リンク駆動軸５４の１回転で、ノズル３が１往復するようにリンクの長さを調整しておくと、ドライアイス粒子の噴射漏れの範囲が生じない。
【００１５】
＜７＞底板（図５）
フード１の下面は全面的に開放せず、フード１の下面に、路面とほぼ水平方向の底板６を配置する。
そして床板６の一部に、長溝である集塵スリット６１を左右方向に向けて開口する。
集塵スリット６１の両側の底板６は、下向きの斜板６２で構成し、斜板６２の下縁にはその縁に沿ってスカート６３を設けることもできる。
集塵スリット６１の両側の斜板６２は、その間隔は下に行くほど狭くなるように配置する。
前記したノズル３の先端は、集塵スリット６１に向けた状態で位置している。
【００１６】
＜８＞斜板の他の構成（図６）
除染作業に際して、噴射のエネルギーで底板６の上に載った汚染物が斜板６２を伝わって集塵スリット６１に落下すると舗装面を再度汚染してしまうことも考えられる。
そこで集塵スリット６１の両側に設置する斜板６２を単なる板体ではなく、下端で折り返した構造を採用することもできる。
すなわち図６に示すように、斜板６２の集塵スリット６１側に折り返し板６４を取り付けて、断面をＶ字状に形成する。
すると斜板６２の先端のＶ字状の折り返し部分で汚染物を捕捉するから、汚染物のスリット６１からの再度の落下を阻止することができる。
【００１７】
＜９＞底板の他の構成（図７）
底板を路面に平行ではなく、集塵スリット６１に向けて全体に傾斜させた傾斜底板６Ａとして構成することもできる。
その場合には傾斜底板６Ａの一部に、左右方向に向けた集塵溝６５を形成しておくこともできる。
すると図６の実施例と同様に、集塵溝６５で汚染物を捕捉するから、汚染物のスリット６１からの再度の落下を阻止することができる。
【００１８】
＜１０＞吸引箱（図５）
フード１内の底板６の上には吸引箱４を設置する。
この吸引箱４は、一端の面に吸引口４１を開口し、吸引口４１と反対側は除染装置とは別の、外部の集塵機に吸引ホース４２を介して連結する。
この吸引箱４の吸引口４１を集塵スリット６１のすぐ上に開口し、吸引ホースは台車２の前方方向から引き出す。
前方方向とは、集塵スリット６１からみると、ノズル３の設置側と反対側である。
そのように配置すると、ノズル３は真下向きではなく、多少前方方向へ向けて角度を備えて配置してあるから、ノズル３からのエネルギーを効率よく前方の吸引口４１に導入することができる。
こうしてフード１内で舞い上がった汚染物を、その流れの方向を変えずに吸引口４１から吸引して外部の集塵機のタンクへ誘導する。
ここで吸引するのは、気化した炭酸ガスと、剥離した汚染物の粉塵だから、汚染水の回収の場合とは異なり集塵機の収納タンクのフィルターで容易に回収することができる。
さらに吸引口４１を交換可能の構造としておけば、除染対象物や汚染状況に応じて開口の大きさの異なったものに交換して吸引流速を調整することができる。
【００１９】
＜１１＞走行機構
上記の台車２の一部にギヤードモータを装備する。
このモータの回転はギヤを介して車輪２１に伝達するから、インバーター制御やギヤの切り替えによって任意の速度による自走が可能である。
モータの回転を正転、逆転することで台車２を前進、後退させることができる。
前記したように車輪２１の回転はギヤとリンクを介して首振り機構５を駆動するから、走行速度と首振り速度を制御することができる。
すなわち台車２をゆっくり走行させれば、ノズル３の首振りもゆっくりとなり、ドライアイス粒子によって丁寧な剥離作業を行うことができる。
汚染の程度が低い場所では台車２の走行速度を上げれば、首振り速度も速くなり、一定個所へのドライアイス粒子の噴射量は減少する。
【００２０】
＜１２＞使用方法
次に上記した本発明の装置を利用して、例えば放射能で汚染されたアスファルト舗装やコンクリート舗装の汚染物を除去する方法を説明する。
【００２１】
＜１３＞エアーの流れ
コンプレッサーで加圧して製造した圧縮空気は、市販のドライアイス供給機からホース３３を通って、ノズル３に到達する。
【００２２】
＜１４＞吹き付け速度の決定
本発明の除染装置から噴出するドライアイス粒子で表面の汚染を除去する原理は、前記したようにドライアイス粒子が気化する際のエネルギーで汚染物を持ち上げて剥ぎ取る機能による。
そこで除染範囲の一部を試験範囲として、除染装置の速度を数段階に変えて走行させ、除去作業の前後の放射能の量を測定する。
その結果からその現場での最適の速度を決定し、この数値を操作盤７１においてインバータ制御の周波数として設定する。
【００２３】
＜１５＞除染作業
上記のテストによって、その現場での除染装置の最適速度が決定するから、その後は同一速度を保たせて台車２を走行するだけで、どの位置でも単位面積あたり同一量のドライアイス粒子をノズル３から噴射することができる。
したがって、作業員の勘や熟練が影響することがない。
ノズル３から噴射したドライアイスは、集塵スリット６１を通して汚染した路面を直撃する。
その衝撃で舞い上がった粉塵は、集塵スリット６１の両側のスカート６３によって拡散する進路をさえぎられ、吸引箱４の吸引口４１に強く引かれて吸引される。
このようにドライアイス粒子の噴射によって舗装面から剥離した粉塵はフード１内であまり舞い上がることがなく、ノズル３からの噴射の方向に沿って移動するから、そのまま吸引口４１を通して外部の集塵機に効率よく誘導することができる。
吸引ホース４２を介して集積した汚染物は、集塵機のフィルターに吸着するから、このフィルターを廃棄処理する。
【符号の説明】
【００２４】
１：フード
２：車輪
３：ノズル
３１：ノズル容器
４：吸引箱
４１：吸引口
５：首振り機構
６：底板
６１：集塵スリット
【図１】
2014066610.tif 000003
【図２】
2014066610.tif 000004
【図３】
2014066610.tif 000005
【図４】
2014066610.tif 000006
【図５】
2014066610.tif 000007
【図６】
2014066610.tif 000008
【図７】
2014066610.tif 000009